(57)【要約】【課題】煙突を屋根抜き方式で施工する場合に、過剰な手間や過大なコストを要することなく、優れた防水機能を長期間に亘り発揮できるようにする。【解決手段】煙突５０が通過する屋根の開口部１２を覆う水切り手段を備えて雨漏りを防ぐための屋根煙突貫通部の防水構造において、上流側から屋根仕上げ材１７上面を流れ落ちる水を上面で受けて下流側の屋根仕上げ材上面１７に導くように配置された導水板３０及びその切り欠き穴周縁部分から立ち上がり煙突５０の周囲を所定高さまで覆う筒状の周壁３１を有した水切り部材３と、導水板３０よりも大きな外形を有した板材で周壁３１基端部外周と内径の略一致する切り欠き穴２２が中央部を貫通したアウターカバー２を備えており、アウターカバー２が切り欠き穴２２内周を周壁３１基端部外周に略密着して挿通され少なくとも導水板３０の上面総てを覆いながら下面側を導水板３０上面に略密着して配設されていることを特徴とするものとした。【選択図】図１
2010037824.tif 000002
【特許請求の範囲】
【請求項１】
煙突が通過する屋根開口部を覆う水切り手段を備え、前記屋根開口部を介した雨漏りを防ぐための屋根煙突貫通部の防水構造において、屋根面に略平行に配置され上流側から屋根仕上げ材上面を流れ落ちる水を上面で受けて下流側の屋根仕上げ材上面に導くように配置された導水板及び該導水板に設けた略円形の切り欠き穴周縁部分から立ち上がり前記屋根開口部から突出する前記煙突の周囲を所定高さまで覆う筒状の周壁を有してなる水切り部材と、前記導水板よりも大きな外形を有した板材であって前記周壁基端部の外周と内径の略一致する切り欠き穴が略中央部を貫通して設けられてなるアウターカバーを備えており、該アウターカバーが前記切り欠き穴内周を前記水切り部材の周壁基端部外周に略密着した状態で挿通されるとともに、少なくとも前記導水板の上面総てを覆いながら下面側を前記導水板上面に略密着して配設されている、ことを特徴とする屋根煙突貫通部の防水構造。
【請求項２】
前記アウターカバーは、下面の前記切り欠き穴周囲部と前記導水板上面の周壁周囲部との間にシーリング材が介装された状態で前記水切り部材に固定されており、前記切り欠き穴を経由して雨水が浸入することを回避可能とされている、ことを特徴とする請求項１に記載した屋根煙突貫通部の防水構造。
【請求項３】
前記アウターカバーは、前記導水板よりも薄い板材または／及び前記導水板よりも柔軟な素材による板材からなり前記導水板よりも塑性変形容易とされており、下流側部分が前記屋根仕上げ材の組み合わせによる表面凹凸構造に対し密着するように塑性変形されている、ことを特徴とする請求項１または２に記載した屋根煙突貫通部の防水構造。
【請求項４】
前記アウターカバーは、下流側端縁の略中央位置から前記切り欠き穴まで屋根の傾斜方向に沿う１本のスリットが設けられている、こと特徴とする請求項１，２または３に記載した屋根煙突貫通部の防水構造。
【請求項５】
前記アウターカバーは、主として前記周壁の下流側で前記導水板を覆う上板と、主として前記周壁の上流側で前記導水板を覆う下板の２枚からなり、前記切り欠き穴を構成するアーチ状の切り欠きが、前記上板は下流側端縁から前記下板は上流側端縁から各々前記周壁基端部の外周半径よりも深く設けられており、前記上板の下流側端縁部を前記下板の上流側端縁部の上に重畳した状態で前記切り欠き穴を構成している、ことを特徴とする請求項１，２または３に記載した屋根煙突貫通部の防水構造。
【請求項６】
前記アウターカバーは、外形が長方形であって２つの長辺が屋根の傾斜方向に沿って配設されており、少なくとも前記両長辺側所定範囲が前記長辺に平行な折り線により所定幅で上向きに折り返されてなる折り返し部を備えている、ことを特徴とする請求項１，２，３，４または５に記載した屋根煙突貫通部の防水構造。
【請求項７】
前記導水板よりも表面積が大きく少なくとも前記導水板の上面総てを被覆可能な外形を有した板材からなり前記周壁基端部の外周と内径の略一致する切り欠き穴が中央部を貫通して設けられたアウターカバーであって、請求項１，２，３，４，５または６に記載した屋根煙突貫通部の防水構造において、前記切り欠き穴内周を前記周壁基端部外周に略密着する状態で挿通され、前記導水板の上面総てを覆いながら下面側を前記導水板上面に略密着して配設される、ことを特徴とするアウターカバー。
【発明の詳細な説明】
【技術分野】
【０００１】
本発明は、屋根煙突貫通部の防水構造及びそのアウターカバーに関し、殊に、煙突が貫通する傾斜屋根の開口部から雨水が屋内に侵入することを防止するための屋根煙突貫通部の防水構造、及びそれに用いられるアウターカバーに関する。  
【背景技術】
【０００２】
ストーブ等の燃焼装置から延設された煙突（煙道）を屋外に導くための施工方法としては、垂直な壁を貫通させる壁抜き方式と屋根を貫通させる屋根抜き方式の２種類がある。このうち、屋根抜き方式は吸い込み作用によるドラフト効果で着火・燃焼がスムースに行われるメリットがあるため、従来から広く採用されている方式である。しかし、この屋根抜き方式においては煙突を貫通させる屋根開口部から雨漏りが発生しやすいために、施工において壁抜き方式よりも充分な防水対策を施すことが求められる。
【０００３】
図９は、このような屋根煙突貫通部に一般的に設けられる防水構造の縦断面図を示している。この防水構造の場合、防水シート（防水紙）１１を上面に貼った野地板１０に煙突５０を通過させるための開口部１２を切り欠いて設け、傾斜した屋根面に略平行に配置される平板状の導水板３０及びその中央を丸く切り欠いた穴の周縁部分から円錐台状に立ち上がり上端側が開口した筒状の周壁３１で構成される水切り部材（フラッシング）３を配設することにより、開口部１２を経由した雨漏りを防止するようになっている。
【０００４】
この水切り部材３は、屋根を貫通する煙突５０を周壁３１内側の挿通孔３２で通過させながら、導水板３０が上流側（棟側）部分の上面に瓦等の屋根仕上げ材１７を載せ、下流側（軒側）部分が屋根仕上げ材１７の上に載るように配設され、傾斜した屋根の上で上流側から流れ落ちる雨水を導水板３０上面で受け、周壁３１で煙突５０が通過する部分を迂回させながら下流側の屋根仕上げ材１７上面に導くようにして、煙突５０が通過する開口部１２から雨水が屋内に侵入することを防止する機能を発揮するようになっている。
【０００５】
しかしながら、斯かる水切り部材３を用いた防水構造においても、台風時のように雨に強風が加わる条件となった場合には、破線矢印で示すように導水板３０の下端側からその裏面を伝って雨水が吹き上がることがあり、防水シート１１の上面を伝って開口部１２から水が侵入し、雨漏りを発生させてしまうという問題がある。
【０００６】
この問題に対し、導水板３０を柔軟素材や薄い素材からなる塑性変形容易な板材で作成し、その下端側を屋根仕上げ材１７が組み合わされてなる表面凹凸形状に密着するよう変形させることにより雨水がその下面側に吹き込みにくくするとともに、導水板３０の表面積を大きくしてその端縁部から開口部１２までの距離を長くとることにより、水が開口部１２まで到達しにくくする対処方法が知られている。
【０００７】
一方、汎用品として広く普及している市販タイプの水切り部材は、施工上の簡易さ及びコストの低廉さにおいて有利であることが周知である。ところが、汎用化及び輸送時の変形・破損を避ける目的でその導水板の面積が比較的小さいとともに変形させにくい厚いステンレス板等の硬質素材からなるのが通常であるため、前述した対処方法をそのまま適用することは困難となりやすい。
【０００８】
そのため、市販タイプの水切り部材を使用せずに、現場ごとに上述の対処方法に基づいて水切り部材をオーダーメードで作成することも多い。この場合には作成の手間を要するとともにコストが高騰するという問題が発生する。殊に、屋根仕上げ材による表面凹凸形状への密着性に優れた鉛板を導水板として使用する場合には、鉛板自体が高価であることに加え、これに筒状の周壁を溶接するのに手間と熟練を要していた。
【０００９】
これに対し、特開平６−１５１１８号公報には、屋根面から突出する煙突等の突出物下部四周を筒状の水切り部材で覆い、その水切り部材を突出物の下部外周に沿って立ち上がる立ち上がり片と、この立ち上がり片の下端から突出する屋根面に沿う横片とで構成し、この横片の下面に防水性を有するクッション材を設けて、横片と屋根面（防水シート上面）との間に圧縮状態で介在させることにより、水切り部材の下に侵入した水の対策も合わせて防水機能の向上を図った技術が提案されている。
【００１０】
しかし、このように単にクッション材を挟み込んで防水シート上面を伝う水の侵入を防ぐだけの手法では、経年による劣化でクッション材が弾力性を失うにつれ、密着力が低下する部分が発生して均一な防水機能を発揮できなくなる。そのため、建築法令により施工業者に要求される１０年間の雨漏り瑕疵保証をクリアすることは実際上困難となりやすかった。
【００１１】
或いは、屋根煙突貫通部の防水構造の形成において、防水用の精密な部材を多数組み合わせたり、緻密なシーリング工程を複数加えたりして防水機能を高めることも考えられるが、短期間・低コストで完了することが要求される屋根煙突貫通部の施工において、過剰な手間と過大なコストを費やすことに繋がることから実際には採用しにくい手段である。従って、容易に施工されて低コストで優れた防水機能を長期間に亘り発揮できる技術の開発が望まれていた。
【特許文献１】特開平６−１５１１８号公報
【発明の開示】
【発明が解決しようとする課題】
【００１２】
本発明は、上記のような問題点を解決しようとするものであり、煙突を屋根抜き方式で施工する場合に、過剰な手間や過大なコストを要することなく、優れた防水機能を長期間に亘り発揮できるようにすることを課題とする。
【課題を解決するための手段】
【００１３】
そこで、本発明は、煙突が通過する屋根開口部を覆う水切り手段を備え、屋根開口部を介した雨漏りを防ぐための屋根煙突貫通部の防水構造において、屋根面に略平行に配置され上流側から屋根仕上げ材上面を流れ落ちる水を上面で受けて下流側の屋根仕上げ材上面に導くように配置された導水板及びこの導水板に設けた略円形の切り欠き穴周縁部分から立ち上がり屋根開口部から突出する煙突の周囲を所定高さまで覆う筒状の周壁を有してなる水切り部材と、その導水板よりも大きな外形を有した板材であって周壁基端部の外周と内径の略一致する切り欠き穴がその略中央部を貫通して設けられてなるアウターカバーを備えており、このアウターカバーがその切り欠き穴内周を水切り部材の周壁基端部外周に略密着した状態で挿通されるとともに、少なくとも導水板の上面総てを覆いながらその下面側を導水板上面に略密着して配設されている、ことを特徴とするものとした。
【００１４】
このように、導水板よりも大きな表面積を有するアウターカバーを、中央部の切り欠き穴に水切り部材の筒状の周壁を挿通し導水板上面の総てを覆って密着配置したことにより、水切り部材の導水板による導水面積を実質的に拡大したことになるため、雨水が導水板の下に入っても屋根開口部まで到達しにくいものとなる。
【００１５】
この場合、そのアウターカバーは、その下面の切り欠き穴周囲部と導水板上面の周壁周囲部との間にシーリング材が介装された状態で水切り部材に固定されており、その切り欠き穴を経由して雨水が浸入することを回避可能とされている、ことを特徴としたものとすれば、防水構造として優れた機能を発揮できるものとなる。
【００１６】
また、上述した屋根煙突貫通部の防水構造において、そのアウターカバーは、導水板よりも薄い板材または／及び導水板よりも柔軟な素材による板材からなり導水板よりも塑性変形容易とされており、その下流側部分が屋根仕上げ材の組み合わせによる表面凹凸構造に対し密着するように塑性変形されていることを特徴としたものとすれば、アウターカバー下端側からの雨水の浸入を回避しやすいものとなって一層防水機能に優れたものとなる。
【００１７】
さらに、上述した屋根煙突貫通部の防水構造において、そのアウターカバーは、下流側端縁の略中央位置から切り欠き穴まで屋根の傾斜方向に沿う１本のスリットが設けられていること特徴としたものとすれば、施工時における水切り部材周壁の挿通作業及び切り欠き穴内周の周壁外周への密着性の確保が、極めて容易になるとともに既設の防水構造にこのアウターカバーを追加的に配設することも容易なものとなる。
【００１８】
或いは、そのアウターカバーは、主として周壁の下流側で導水板を覆う上板と、主として周壁の上流側で導水板を覆う下板の２枚からなり、切り欠き穴を構成するアーチ状の切り欠きが、上板は下流側端縁から下板は上流側端縁から各々周壁基端部の外周半径よりも深く設けられており、上板の下流側端縁部を下板の上流側端縁部の上に重畳した状態で切り欠き穴を構成している、ことを特徴としたものとすれば、アウターカバーに切り欠き穴を容易に設けられるとともにその施工も容易なものとなり、且つ、既設の防水構造にアウターカバーを追加的に配設することも一層容易なものとなる。
【００１９】
さらにまた、上述した屋根煙突貫通部の防水構造において、そのアウターカバーは、外形が長方形であってその２つの長辺が屋根の傾斜方向に沿って配設されており、少なくともその両長辺側所定範囲がこの長辺に平行な折り線により所定幅で上向きに折り返されてなる折り返し部を備えている、ことを特徴としたものとすれば、その折り返し部により水が傾斜方向に対し側方に漏出することを防止できるようになる。
【００２０】
加えて、導水板よりも表面積が大きく少なくとも導水板の上面総てを被覆可能な外形を有した板材からなり周壁基端部の外周と内径の略一致する切り欠き穴がその中央部を貫通して設けられたものであり、上述した屋根煙突貫通部の防水構造において、その切り欠き穴内周を周壁基端部外周に略密着する状態で挿通され、導水板の上面総てを覆いながらその下面側を導水板上面に略密着して配設されることを特徴とするアウターカバーとすれば、コストの低廉な汎用の水切り部材に組み合わせて用いるような場合であっても、上述した各機能を簡易且つ確実に発揮できるものとなる。
【発明の効果】
【００２１】
水切り部材の導水板よりも大面積のアウターカバーを導水板上面の総てを覆うように密着配置したことにより、導水板による導水面積を実質的に拡大した本発明によると、過剰な手間や過大なコストを要することなく優れた防水機能を長期間に亘り発揮できるものである。
【発明を実施するための最良の形態】
【００２２】
以下に、図面を参照しながら本発明を実施するための最良の形態を説明する。尚、本発明において、煙突には燃焼装置から直接延設された煙突の他に、この煙突を挿通してその高温を緩衝または断熱する断熱用筒体や、煙突を挿通して保持するための保持用筒体も含むものとする。また、部材の密着には２つの部材がその表面同士を直接接触させることの他に、２つの部材間に充填材が薄く介在して隙間空間が生じないようにした場合も含むものとする。
【００２３】
図１は、本発明における第１の実施の形態である屋根煙突貫通部の防水構造を示す縦断面図である。この防水構造は、屋内に配置したストーブ等の燃焼装置から延設された煙突（煙道）５０を屋根抜き方式で施工する場合に、傾斜した屋根を煙突５０が貫通する開口部１２から雨漏りが生じないようにすることを目的としている。
【００２４】
図１に示すように、一般的な家屋の屋根は垂木（図示省略）で支えられた野地板１０と、その上に配置された防水シート１１と、更にその上に敷き詰められた複数枚の屋根仕上げ材（瓦）１７とからなり、これらで雨水が屋内に浸入することを防止する構造を形成している。
【００２５】
そして、この屋根を煙突５０が貫通するように施工する際に、野地板１０及び防水シート１１に所定形状の開口部１２を切り取って設けた後、棟側から軒側に向かって屋根仕上げ材１７上を流れ落ちる雨水が、煙突５０の貫通部分を迂回して流れるように導水板３０及び周壁３１を備えた水切り部材３を配置したものであり、このこと自体は図９に示した従来例と同様である。
【００２６】
しかし、上述したように、この水切り部材３に、比較的表面積が小さいとともに塑性変形させにくい厚めのステンレス板等からなる導水板３０を有する汎用品を用いた場合には、導水板３０の下流側端縁部と屋根仕上げ材１７との間に大きな隙間が生じることから、その隙間から吹き込んだ雨水が開口部１２に侵入することによる雨漏りが発生しうる。
【００２７】
そこで本発明において、導水板３０よりも大きく、これを総て上から覆いながら密着配置させるための外形及び大きさを有し、中央に切り欠き穴２２が開口するとともに導水板３０よりも薄く塑性変形容易な板材からなるアウターカバー２を配設したことにより、水切り部材３の導水板３０による導水面積を実質的に拡大するとともに、アウターカバー２下面側への雨水の吹き込みを防止しやすいものとした点が特徴部分となっている。
【００２８】
即ち、このアウターカバー２には、その導水板３０よりも薄く塑性変形容易としたステンレス板等の板材を用いており、導水板３０の上面にその下面側を密着配置されながらその上流側部分は屋根仕上げ材１７の下に配置されている。また、その下流側部分は、屋根仕上げ材１７の上に配置されているとともに、複数枚の屋根仕上げ材１７の組み合わせによる表面の凹凸形状に密着するように変形されており、屋根仕上げ材１７への高い密着性を確保したことでアウターカバー２及び導水板３０の下に雨水が浸入しにくい構造としている。
【００２９】
図２は、本実施の形態による屋根煙突貫通部の防水構造の機能的な中心部分となる、水切り部材３及びアウターカバー２の分解斜視図を示しており、図３はその側面図を示している。アウターカバー２には、水切り部材３の周壁３１を挿通するための切り欠き穴２２が中央部を貫通して設けられているが、この切り欠き穴２２は、内径が周壁３１基端部の外径とほぼ一致しているとともにその形状も周壁３１基端部の外周で形成される形状にほぼ一致している。
【００３０】
そして、このアウターカバー２は、図１に示したように切り欠き穴２２内周が水切り部材３の周壁３１基端部外周に密着した状態で配設され、さらに、その下面の切り欠き穴周囲部と導水板３０上面の周壁周囲部との間にシーリング材２５０が充填・介装された状態で固定されている。これにより、アウターカバー２の切り欠き穴２２を経由して雨水が侵入することを確実に回避可能としている。
【００３１】
図４（Ａ），（Ｂ），（Ｃ）は、本実施の形態の屋根煙突貫通部の防水構造を設ける際の施工方法の手順を示している。先ず、防水シート１１が貼られた野路板１０に開口部１２を切り取って設け、これに煙突５０を通して固定金具１３で固定する（図４（Ａ））。次に、この煙突５０を挿通させるように水切り部材３（汎用のもので可）を被せてから、導水板３０の周壁周囲部にシーリング材２５０を塗布しておく（図４（Ｂ））。
【００３２】
そして、この導水板３０よりも大きくその外縁総てを覆う形状で導水板３０よりも薄い長方形の板材からなるアウターカバー２を、その切り欠き穴２２に周壁３１を挿通した状態で被せ、その下面が導水板３０の上面にほぼ密着する状態でシーリング材２５０を介して固定させる（図４（Ｃ））。
【００３３】
その後、図示は省略するが、このアウターカバー２及び導水板３０の上流側部分を屋根仕上げ材１７の下になるようにし、またこれらの下流側部分が屋根仕上げ材１７の上に載るように配置する。さらに、屋根仕上げ材１７の上に載ったアウターカバー２下流側部分の所定範囲を屋根仕上げ材１７の表面凹凸形状に合わせて塑性変形させ、密着した状態として作業は完了する。
【００３４】
本実施の形態の屋根煙突貫通部の防水構造は、以上のように極めて簡単な手順で施工され、しかもこれに用いる水切り部材３は汎用品の安価なもので充分である。そして、その導水板３０の導水面積を実質的に拡大して防水機能を向上させるアウターカバー２は、水切り部材３の周壁３１基端部外周のサイズ・形状に一致した切り欠き穴２２を所定の板材に設けるだけで作成されることから、極めて手間が少なく低コストで済むものとなる。
【００３５】
図５及び図６は、本発明の第２の実施の形態であって、そのアウターカバー２Ｂの少なくとも屋根傾斜方向に沿う両辺（長辺）が、これに平行な折り線により所定範囲で上向きに折り返されてなる折り返し部２１２，２１３を有していることを特徴とした、屋根煙突貫通部の防水構造を示している。また、このアウターカバー２Ｂの上流側の辺も所定幅で上向きに折り返された折り返し部２１０とされており、さら下流側の辺は所定幅で下向きに折り返された折り返し部２１１とされている。
【００３６】
このような構成としたことで、各辺で構成される周縁部の強度が増すことに加え、一旦アウターカバー２Ｂの上面に載った雨水が、上流側・左右側の折り返し部２１０，２１２，２１３により、これを越えて漏出しないようになっており、且つ、下流側の折り返し部２１１は下向きであるため、雨水を途中で逃がさずに下流側の屋根仕上げ材１７の上にスムースに流すようになっており、優れた防水機能を発揮するものとなっている。尚、図のように、水切り部材３Ｂにも折り返し部３１０，３１１，３１２，３１３を前記同様に設けることにより、水切り部材３Ｂにも同様の機能を発揮させることができ、さらに確実な防水機能の発揮が期待できるものとなる。
【００３７】
図７は、上述した第１の実施の形態及び第２の実施の形態に共通した応用例を示している。この場合、アウターカバー２Ｃは、下流側の端縁を形成する短辺の略中央位置から切り欠き穴２２まで屋根の傾斜方向に沿って１本のスリット２３が設けられており、この部分で板材が分断されている点を特徴としている。
【００３８】
アウターカバー２Ｃをこのような構成としたことにより、施工時に水切り部材の周壁を挿通して固定する作業が容易になることに加え、切り欠き穴２２形成時における多少の形状・サイズの誤差も容易に吸収できるものとなる。また、スリット２３による分断部分があることで、既設の屋根煙突貫通部の防水構造に対してもアウターカバー２Ｃを後から容易に追加できるものとなる。
【００３９】
図８は、上述した第１の実施の形態及び第２の実施の形態に共通した他の応用例を示している。この応用例の場合、アウターカバー２Ｄは、主として水切り部材の周壁上流側でその導水板を覆う上板２０ａと、主として水切り部材の周壁下流側で導水板を覆う下板２０ｂの２枚で構成されている点を特徴としている。
【００４０】
このアウターカバー２Ｄの場合は、上板２０ａ，下板２０ｂに各々設けられたアーチ状の切り欠き２２ａ，２２ｂで１つの切り欠き穴が構成されるため、板材の中央から設ける場合と比べて切り欠き穴を設ける作業自体も容易なものとなり、且つ、屋根傾斜方向に沿う方向の径が調節可能となるために、サイズに多少の誤差があっても対応が容易なものとなる。また、２枚に分断されていることにより、前述の応用例よりも既設の屋根煙突貫通部の防水構造に対し一層容易に追加することが可能となる。
【００４１】
上述した総ての実施の形態及び応用例におけるアウターカバーは、熟練を要さずに比較的容易に作成できるものであり、水切り部材を現場に応じたオーダーメードで作成する従来例と比べて、手間が少なくコストも低廉に抑えられることが利点である。尚、上述の説明において、アウターカバーは塑性変形容易な薄いステンレス板を想定して説明したが、アルミ板を用いても同様であり、また、鉛板を用いる場合は、導水板よりも厚いものでも変形容易であるとともに屋根仕上げ材への密着性に一層優れたものとなる。
【００４２】
以上、述べたように、煙突を屋根抜き方式で施工する場合において、本発明により、過剰な手間や過大なコストを要することなく、優れた防水機能を長期間に亘って発揮できるようになった。
【図面の簡単な説明】
【００４３】
【図１】本発明における第１の実施の形態の防水構造を示す縦断面図。
【図２】図１の防水構造を構成する水切り部材及びアウターカバーの分解斜視図。
【図３】図２の側面図。
【図４】（Ａ），（Ｂ），（Ｃ）は図１の防水構造を形成するための施工方法の手順を説明するための斜視図。
【図５】本発明における第２の実施の形態の防水構造を示す縦断面図。
【図６】図５の防水構造を構成する水切り部材及びアウターカバーの分解斜視図。
【図７】図１及び図５の防水構造における応用例を示す斜視図。
【図８】図１及び図５の防水構造における他の応用例を示す斜視図。
【図９】従来例による防水構造の縦断面図。
【符号の説明】
【００４４】
２，２Ｂ，２Ｃ，２Ｄ  アウターカバー、３，３Ｂ  水切り部材、１０  野地板、１１  防水シート、１２  開口部、１３  固定金具、１７  屋根仕上げ材、２２  切り欠き穴、３０  導水板、３１  周壁、５０  煙突、２０ａ  上板、２０ｂ  下板、２２ａ，２２ｂ  切り欠き、２３  スリット、２１０，２１１，２１２，２１３  折り返し部、２５０  シーリング材
【図１】
2010037824.tif 000003
【図２】
2010037824.tif 000004
【図３】
2010037824.tif 000005
【図４】
2010037824.tif 000006
【図５】
2010037824.tif 000007
【図６】
2010037824.tif 000008
【図７】
2010037824.tif 000009
【図９】
2010037824.tif 000010
【図８】
2010037824.tif 000011